(57)【要約】【課題】工場等の建築物の屋根に設置されている折版屋根材の各頂部間に複数個の基礎桟材を接続金具により並列状に掛架固定し、この複数個の基礎桟材上に合成樹脂製の波板材を敷設し、波板材の各凸部上に吸出し防止材を敷設し、吸出し防止材上に複数個の緑化パネルを並列状に敷設し、緑化パネル上に植生用の花壇土などの土壌を敷設することにより折版屋根材上の緑化を図ることができ、接続金具により容易に基礎桟材を固定することができる。【解決手段】折版屋根材Ｗの各頂部Ｗ1間に折版屋根材上に複数個の基礎桟材１を接続金具２により並列状に掛架固定し、基礎桟材上に波板材３を敷設し、波板材の各凸部上に吸出し防止材４を敷設し、吸出し防止材上に複数個の緑化パネル５を並列状に敷設し、緑化パネル上に植生用の花壇土などの土壌Ｄを敷設してなる。【選択図】図１
2011097856.tif 000002
【特許請求の範囲】
【請求項１】
頂部及び底部が略波状に連続する形状の折版屋根材上に設置され、該折版屋根材上を土壌の敷設及び植生により緑化する緑化構造において、上記折版屋根材の各頂部間に該折版屋根材の頂部及び底部の形成方向に対して直交する方向にして複数個の基礎桟材を接続金具により並列状に掛架固定し、該基礎桟材上に凹部及び凸部が波状に連続する形状の合成樹脂製の波板材を該折版屋根材の頂部及び底部の形成方向と凹部及び凸部の形成方向とを同方向にして敷設し、該波板材の各凸部上に吸出し防止材を敷設し、該吸出し防止材上に複数個の緑化パネルを並列状に敷設し、該緑化パネル上に植生用の花壇土などの土壌を敷設してなることを特徴とする折版屋根緑化構造。
【請求項２】
上記複数個の基礎桟材からなる基礎組体の周囲に緑化領域を画定する見切り縁材を配置してなることを特徴とする請求項１記載の折版屋根緑化構造。
【請求項３】
上記緑化パネルは発泡プラスチック材からなるパネル板材により形成され、該パネル板材の表面に導水路を形成すると共に該パネル板材の裏面に排水路を形成し、該導水路と該排水路との間に連通路を形成し、該導水路の底面に少なくとも該連通路の上面を覆う透水シートを配置し、該透水シートを配置した状態で該導水路の底面に水分の吸収により体積が膨張してゲル状の膨潤状態となり水分の放出により収縮して粉粒状の固形状態となる高吸水性樹脂からなる保水剤を配置してなることを特徴とする請求項１又は２記載の折版屋根緑化構造。
【請求項４】
上記パネル板材の表面全体に透水シートを配置してなることを特徴とする請求項３記載の折版屋根緑化構造。
【請求項５】
上記請求項１〜４のいずれか１項に記載の折版屋根緑化構造を備えてなることを特徴とする緑化折版屋根。
【発明の詳細な説明】
【技術分野】
【０００１】
本発明は、例えば、工場や病院、学校、家屋等の建築物の屋根に設置されている折版屋根材の表面を緑化する際に用いられる折版屋根緑化構造及び緑化折版屋根に関するものである。
【背景技術】
【０００２】
従来、この種の建築物の屋根材として、例えば、施工容易性や耐荷重等の観点から、頂部及び底部が略波状に連続する形状の折版屋根材が用いられており、これら折版屋根材の表面を緑化するための構造として様々な提案がなされている。
【先行技術文献】
【特許文献】
【０００３】
【特許文献１】特許第４２０２４９５号公報
【特許文献２】特許第４３０１２７４号公報
【発明の概要】
【発明が解決しようとする課題】
【０００４】
しかしながらこれら従来構造の場合、構造が複雑であったり、コストが高くついたり、施工が厄介であったり、必ずしも満足するものではないことがあるという不都合を有している。
【課題を解決するための手段】
【０００５】
本発明はこれらの不都合を解決することを目的とするもので、本発明のうちで、請求項１記載の発明にあっては、頂部及び底部が略波状に連続する形状の折版屋根材上に設置され、該折版屋根材上を土壌の敷設及び植生により緑化する緑化構造において、上記折版屋根材の各頂部間に該折版屋根材の頂部及び底部の形成方向に対して直交する方向にして複数個の基礎桟材を接続金具により並列状に掛架固定し、該基礎桟材上に凹部及び凸部が波状に連続する形状の合成樹脂製の波板材を該折版屋根材の頂部及び底部の形成方向と凹部及び凸部の形成方向とを同方向にして敷設し、該波板材の各凸部上に吸出し防止材を敷設し、該吸出し防止材上に複数個の緑化パネルを並列状に敷設し、該緑化パネル上に植生用の花壇土などの土壌を敷設してなることを特徴とする折版屋根緑化構造にある。
【０００６】
又、請求項２記載の発明は、上記複数個の基礎桟材からなる基礎組体の周囲に緑化領域を画定する見切り縁材を配置してなることを特徴とするものであり、又、請求項３記載の発明は、上記緑化パネルは発泡プラスチック材からなるパネル板材により形成され、該パネル板材の表面に導水路を形成すると共に該パネル板材の裏面に排水路を形成し、該導水路と該排水路との間に連通路を形成し、該導水路の底面に少なくとも該連通路の上面を覆う透水シートを配置し、該透水シートを配置した状態で該導水路の底面に水分の吸収により体積が膨張してゲル状の膨潤状態となり水分の放出により収縮して粉粒状の固形状態となる高吸水性樹脂からなる保水剤を配置してなることを特徴とするものであり、又、請求項４記載の発明は、上記パネル板材の表面全体に透水シートを配置してなることを特徴とするものである。
【０００７】
又、請求項５記載の発明は、上記請求項１〜４のいずれか１項に記載の折版屋根緑化構造を備えてなることを特徴とする緑化折版屋根にある。
【発明の効果】
【０００８】
本発明は上述の如く、請求項１又は５記載の発明にあっては、工場等の建築物の屋根に設置されている折版屋根材の各頂部間に複数個の基礎桟材を接続金具により並列状に掛架固定し、この複数個の基礎桟材上に合成樹脂製の波板材を敷設し、波板材の各凸部上に吸出し防止材を敷設し、吸出し防止材上に複数個の緑化パネルを並列状に敷設し、緑化パネル上に植生用の花壇土などの土壌を敷設することにより折版屋根材上の緑化を図ることができ、接続金具により容易に基礎桟材を固定することができて緑化構造を容易に得ることができ、この複数個の基礎桟材は折版屋根材の各頂部間に折版屋根材の頂部及び底部の形成方向に対して直交する方向に固定されるので、折版屋根材上に基礎桟材を容易に敷設することができ、合成樹脂製の波板材を折版屋根材の頂部及び底部の形成方向と凹部及び凸部の形成方向とを同方向にして敷設するので折版屋根材上の雨水の流下方向と波板材上の潅漑水の流下方向とが同方向となり、波板材上の雨水や潅漑水等の水の排出を容易に行うことができ、吸出し防止材の存在により緑化パネルから排出されてくる水の保水性及び土壌の流出防止効果を得ることができ、良好な植生を得ることができる。
【０００９】
又、請求項２記載の発明にあっては、上記複数個の基礎桟材からなる基礎組体の周囲に緑化領域を画定する見切り縁材を配置してなるから、見切り縁材により囲まれた緑化領域内に緑化パネルを複数個並列状に敷設することにより、敷設施工作業性を高めることができる。
【００１０】
又、請求項３記載の発明にあっては、上記緑化パネルは発泡プラスチック材からなるパネル板材により形成され、パネル板材の表面に導水路を形成すると共にパネル板材の裏面に排水路を形成し、該導水路と該排水路との間に連通路を形成し、該導水路の底面に少なくとも該連通路の上面を覆う透水シートを配置し、該透水シートを配置した状態で該導水路の底面に水分の吸収により体積が膨張してゲル状の膨潤状態となり水分の放出により収縮して粉粒状の固形状態となる高吸水性樹脂からなる保水剤を配置してなるから、緑化パネルは発泡プラスチック材からなるパネル板材により形成されていることにより緑化パネルの軽量化を図ることができ、搬入、搬出の取り扱い、敷設施工性を向上することができると共に折版屋根材に対する荷重負担を軽減することができ、かつ、パネル板材の表面に導水路が形成され、パネル板材の裏面に排水路が形成され、導水路と排水路との間に連通路が形成され、導水路の底面に少なくとも連通路の上面を覆う透水シートが配置され、透水シートを配置した状態で保水剤が配置されているから、導水路、連通路及び排水路により排水経路が維持されると共に少なくとも連通路の上面を覆う透水シート及び導水路に配置された保水剤により保水性、保肥性が良好となり、花木、芝生等の植物の栽培を良好に行うことができ、折版屋根材上の緑化によりいわゆるヒートアイランド現象を抑制することができ、大気汚染等に対する環境改善を図ることもでき、上記保水剤は、給水設備等からの給水による水分の吸収により体積が膨張してゲル状の膨潤状態となり、土壌の乾燥や排水による水分の放出により収縮して粉粒状の固形状態となる高吸水性樹脂からなるので、上記膨潤状態及び収縮状態の繰返し機能により夏場でも通常の散水で適宜な保水性、土壌硬度、保肥性を維持確保することができ、花木、芝生等の植物の栽培を一層良好に行うことができる。
【００１１】
又、請求項４記載の発明にあっては、上記パネル板材の表面全体に透水シートを配置してなるから、運搬、敷設施工時等における導水路に配置された粉粒状態の保水剤の剥離落下を防ぐことができる。
【図面の簡単な説明】
【００１２】
【図１】本発明の実施の第一形態例の部分分離斜視図である。
【図２】本発明の実施の第一形態例の部分断面図である。
【図３】本発明の実施の第一形態例の部分拡大断面図である。
【図４】本発明の実施の第一形態例の部分切欠平面図である。
【図５】本発明実施の第一形態例の緑化パネルの斜視図である。
【図６】本発明の実施の第一形態例の緑化パネルの部分切欠平面図である。
【図７】本発明の実施の第一形態例の緑化パネルの断面図である。
【図８】本発明の実施の第一形態例の部分斜視図である。
【図９】本発明の実施の第二形態例の部分拡大断面図である。
【図１０】本発明の実施の第二形態例の部分斜視図である。
【発明を実施するための形態】
【００１３】
図１乃至図１０は本発明の実施の形態例を示し、図１乃至図８は第一形態例、図９、図１０は第二形態例である。
【００１４】
図１乃至図８の第一形態例において、Ｗは折版屋根材であって、金属製にして、頂部Ｗ1及び底部Ｗ2が略波状に連続する形状に折曲形成されている。
【００１５】
１は基礎桟材であって、例えば、断面Ｃ形状の金属製にして、上記折版屋根材Ｗの各頂部Ｗ1間に折版屋根材Ｗの頂部Ｗ1及び底部Ｗ2の形成方向に対して直交する方向にして接続金具２により並列状に複数個所定ピッチで掛架固定されている。
【００１６】
この場合、上記接続金具２は、図３及び図８の如く、平板部２ａ及び両側板２ｂ・２ｂを有するコ状枠体２ｃの一方の側板２ｂに止着ボルト２ｄを螺着すると共に他方の側板２ｂに突当部２ｅを形成してなり、上記折版屋根材Ｗの頂部Ｗ1に形成されたハゼ部Ｗ3に所定ピッチで複数個の接続金具２を止着ボルト２ｄ及び突当部２ｅの挟装により固定配置し、コ状枠体２ｃに上記基礎桟材１をボルト連結構造２ｆにより連結し、折版屋根材Ｗと基礎桟材１とを接続する構造となっている。
【００１７】
３は波板材であって、合成樹脂製にして、凹部３ａ及び凸部３ｂが波状に連続する形状に形成され、この場合、ガラスメッシュ入り塩化ビニール製のものが用いられ、図示省略しているが、この波板材３を上下二枚重ね状態で、折版屋根材Ｗの頂部Ｗ1及び底部Ｗ2の形成方向と凹部３ａ及び凸部３ｂの形成方向とを同方向にして、上記基礎桟材１上に敷設されている。
【００１８】
４は吸出し防止材であって、上記波板材３の各凸部３ｂ・・上に敷設され、この場合、厚さ１ｃｍ程度の帯状の不織布からなり、保水性に富むと共に花壇土等の植生用の土壌Ｄの流出防止機能を果たす構造となっている。
【００１９】
５は緑化パネルであって、上記吸出し防止材４上に複数個並列状に敷設され、この場合、図５乃至図７の如く、発泡プラスチック材からなるパネル板材６により形成され、パネル板材６の表面に導水路７を格子状に形成すると共にパネル板材６の裏面に排水路８を格子状に形成し、この導水路７と排水路８との間に四個の連通路９を形成し、導水路７に保水剤１０を配置して構成されている。
【００２０】
この場合、パネル板材６の材質として、発泡プラスチック保温材が用いられ、この発泡プラスチック保温材とは、ビーズ法ポリスチレンフォーム保温材、押出法ポリスチレンフォーム保温材、硬質ウレタンフォーム保温材、ポリエチレンフォーム保温材及びフェノールフォーム保温材の総称であり（ＪＩＳ−Ａ−９５１１）、例えば、ダウ化工株式会社製・商品名「スタイロフォーム」が用いられている。
【００２１】
又、この場合、上記パネル板材６は、縦、横が４５０ｍｍ、厚さ４０ｍｍ、重さ２３０ｇ程度の正方形板状に形成され、圧縮一軸強度は１０Ｎ／ｃｍ2程度のものが用いられ、このパネル板材６の表面に幅２０ｍｍ、深さ１２ｍｍの導水路７を複数本格子状に形成すると共にパネル板材６の裏面に幅２０ｍｍ、深さ１２ｍｍの排水路８を複数本格子状に形成し、この導水路７と排水路８との間に穴径１６ｍｍの四個の連通路９を形成している。
【００２２】
又、この場合、上記保水剤１０は、図７から図９の如く、水分の吸収により体積が膨張して導水路７内に充満する程度のゲル状の膨潤状態となり、図９から図７の如く、水分の放出により収縮して導水路７の底部に浅く付着する程度の粉粒状の固形状態となる高吸水性樹脂からなり、例えば、メビオール株式会社製・商品名「植物用保水剤・スカイジェル」が用いられ、１ｇで１００ｃｃの水を吸収可能な、所謂、吸水量１００倍のものが用いられている。
【００２３】
又、この場合、図５及び図７の如く、上記パネル板材６の四個の各連通路９の表面側に縦×横が２０ｍｍ×２０ｍｍ不織布からなる透水シート１１を接着し、その後、格子状の複数本の導水路７の底面に粉粒状の保水剤１０を糊剤により付着させ、そして、上記パネル板材６の表面全体に縦×横が５００ｍｍ×５００ｍｍ不織布からなる透水シート１２を接着させ、これにより少なくとも導水路７の表面側及び上記連通路９の表面側に透水シート１１・１２を配置して構成している。
【００２４】
１３は見切り縁材であって、この場合、図９の如く、上記複数個の基礎桟材１からなる基礎組体１４の周囲に緑化領域Ｒを画定する、例えば、高さ１００ｍｍ程度の長尺板材からなる見切り縁材１３を取付片１５により固定し、上記緑化パネル５を複数個、吸出し防止材４上に敷設し、図２の如く、この複数個の緑化パネル５の表面に花壇土や芝生土などの土壌Ｄを１０ｍｍ〜２０ｍｍ程度の深さで敷設し、土壌Ｄにセダムや砂苔などの各種の植物Ｆを植生することになる。
【００２５】
この実施の第一形態例は上記構成であるから、図１の如く、図２の如く、頂部Ｗ1及び底部Ｗ2が略波状に連続する形状の折版屋根材Ｗの各頂部Ｗ1間に折版屋根材Ｗの頂部Ｗ1及び底部Ｗ2の形成方向に対して直交する方向にして複数個の基礎桟材１・・を接続金具２により並列状に掛架固定し、基礎桟材１・・上に凹部３ａ及び凸部３ｂが波状に連続する形状の合成樹脂製の波板材３を折版屋根材Ｗの頂部Ｗ1及び底部Ｗ2の形成方向と凹部３ａ及び凸部３ｂの形成方向とを同方向にして敷設し、波板材３の各凸部３ｂ上に吸出し防止材４を敷設し、吸出し防止材４上に複数個の緑化パネル５・・を並列状に敷設し、緑化パネル５・・上に植生用の花壇土などの土壌Ｄを敷設し、土壌Ｄにセダムや砂苔などの各種の植生用の植物Ｆを植生することになる。
【００２６】
したがって、例えば、工場等の建築物の屋根に設置されている折版屋根材Ｗの各頂部Ｗ1間に複数個の基礎桟材１・・を接続金具３により並列状に掛架固定し、この複数個の基礎桟材１・・上に合成樹脂製の波板材３を敷設し、波板材３の各凸部３ｂ上に吸出し防止材４を敷設し、吸出し防止材４上に複数個の緑化パネル５・・を並列状に敷設し、緑化パネル５・・上に植生用の花壇土などの土壌Ｄを敷設することにより折版屋根材Ｗ上の緑化を図ることができ、接続金具３により容易に基礎桟材１・・を固定することができて緑化構造を容易に得ることができ、この複数個の基礎桟材１・・は折版屋根材Ｗの各頂部Ｗ1間に折版屋根材Ｗの頂部Ｗ1及び底部Ｗ2の形成方向に対して直交する方向に固定されるので、折版屋根材Ｗ上に基礎桟材１・・を容易に敷設することができ、合成樹脂製の波板材３を折版屋根材Ｗの頂部Ｗ1及び底部Ｗ2の形成方向と凹部３ａ及び凸部３ｂの形成方向とを同方向にして敷設するので折版屋根材Ｗ上の雨水の流下方向と波板材３上の潅漑水の流下方向とが同方向となり、波板材３上の雨水や潅漑水等の水の排出を容易に行うことができ、吸出し防止材４の存在により緑化パネル５から排出されてくる水の保水性及び土壌Ｄの流出防止効果を得ることができ、良好な植生を得ることができる。
【００２７】
この場合、上記複数個の基礎桟材１からなる基礎組体１４の周囲に緑化領域Ｒを画定する見切り縁材１３を配置してなるから、見切り縁材１３により囲まれた緑化領域Ｒ内に緑化パネル５を複数個並列状に敷設することにより、敷設施工作業性を高めることができる。
【００２８】
又、この場合、上記緑化パネル５は発泡プラスチック材からなるパネル板材６により形成され、パネル板材６の表面に導水路７を形成すると共にパネル板材６の裏面に排水路８を形成し、該導水路７と該排水路８との間に連通路９を形成し、該導水路７の底面に少なくとも該連通路９の上面を覆う透水シート１１を配置し、該透水シート１１を配置した状態で該導水路７の底面に水分の吸収により体積が膨張してゲル状の膨潤状態となり水分の放出により収縮して粉粒状の固形状態となる高吸水性樹脂からなる保水剤１０を配置してなるから、緑化パネル５は発泡プラスチック材からなるパネル板材６により形成されていることにより緑化パネル５の軽量化を図ることができ、搬入、搬出の取り扱い、敷設施工性を向上することができると共に折版屋根材Ｗに対する荷重負担を軽減することができ、かつ、パネル板材６の表面に導水路７が形成され、パネル板材６の裏面に排水路８が形成され、導水路７と排水路８との間に連通路９が形成され、導水路７の底面に少なくとも連通路９の上面を覆う透水シート１１が配置され、透水シート１１を配置した状態で保水剤１０が配置されているから、導水路７、連通路９及び排水路８により排水経路が維持されると共に少なくとも連通路９の上面を覆う透水シート１１及び導水路７に配置された保水剤１０により保水性、保肥性が良好となり、花木、芝生等の植物Ｆの栽培を良好に行うことができ、折版屋根材Ｗ上の緑化によりいわゆるヒートアイランド現象を抑制することができ、大気汚染等に対する環境改善を図ることもでき、上記保水剤１０は、給水設備等からの給水による水分の吸収により体積が膨張してゲル状の膨潤状態となり、土壌Ｄの乾燥や排水による水分の放出により収縮して粉粒状の固形状態となる高吸水性樹脂からなるので、上記膨潤状態及び収縮状態の繰返し機能により夏場でも通常の散水で適宜な保水性、土壌硬度、保肥性を維持確保することができ、花木、芝生等の植物Ｆの栽培を一層良好に行うことができ、又、この場合、上記パネル板材６の表面全体に透水シート１２を配置してなるから、運搬、敷設施工時等における導水路７に配置された粉粒状態の保水剤１０の剥離落下を防ぐことができる。
【００２９】
図９、図１０の第二形態例は折版屋根材Ｗ及び接続金具２の別例構造を示し、この場合、折版屋根材Ｗは頂部Ｗ1の左右斜面部分に凹条部Ｗ4・Ｗ4が形成されており、一対の接続板２ｇ・２ｇを結合ボルト構造２ｈにより固定することにより折版屋根材Ｗの凹条部Ｗ4・Ｗ4に接続板２ｇ・２ｇの下端部の鉤部２ｉ・２ｉを係止し、接続板２ｇ上に記基礎桟材１をボルト連結構造２ｊにより連結し、折版屋根材Ｗと基礎桟材１とを接続する構造となっている。
【００３０】
この第二形態例にあっても、上記第一形態例と同様な作用効果を得ることができる。
【００３１】
尚、本発明は上記実施の形態例に限られるものではなく、緑化パネル５の大きさや形態、パネル板材６の材質、導水路７、排水路８、連通路９の大きさや形態、保水剤１０の種類等は適宜変更して設計施工されるものである。
【００３２】
以上、所期の目的を充分達成することができる。
【符号の説明】
【００３３】
Ｗ    折版屋根材
Ｗ1    頂部
Ｗ2    底部
Ｒ    緑化領域
Ｄ    土壌
１    基礎桟材
２    接続金具
３    波板材
３ａ    凹部
３ｂ    凸部
４    吸出し防止材
５    緑化パネル
６    パネル板材
７    導水路
８    排水路
９    連通路
１０    保水剤
１１    透水シート
１２    透水シート
【図１】
2011097856.tif 000003
【図２】
2011097856.tif 000004
【図３】
2011097856.tif 000005
【図４】
2011097856.tif 000006
【図５】
2011097856.tif 000007
【図６】
2011097856.tif 000008
【図７】
2011097856.tif 000009
【図８】
2011097856.tif 000010
【図９】
2011097856.tif 000011
【図１０】
2011097856.tif 000012